(57)【要約】【課題】  扉を開放した状態でも、食器洗浄機の設置に必要なスペースをより小さく済ませ得るようにする。【解決手段】  閉鎖状態での最上部１２ａが開放状態では最前部となる扉１２を具備し、その扉１２の閉鎖状態での最上部１２ａが、本体１１の最上部１１ａより低く位置するようにした。これにより、扉１２の開放状態での、本体１１から前方への突出寸法Ｌ３を小さくできるもので、ひいては、本体１１の背部から扉１２の最前部までの寸法Ｌ４を小さく済ませることができ、かくして、扉１２を開放した状態でも、食器洗浄機の設置に必要なスペースをより小さく済ませることができる。【選択図】  図１
2006167271.tif 000002
【特許請求の範囲】
【請求項１】
内部で食器を洗浄する洗浄室を有すると共に、その洗浄室に対して食器を出し入れするための開口部を前面側に有する本体と、
この本体に前記開口部を開閉するように設けられ、その閉鎖状態での最上部が開放状態では最前部となる扉とを具備し、
その扉の前記閉鎖状態での最上部が、前記本体の最上部より低く位置するようにしたことを特徴とする食器洗浄機。
【請求項２】
本体の上面に、扉の閉鎖状態での最上部に向かって前下がりとなる傾斜面を形成したことを特徴とする請求項１記載の食器洗浄機。
【請求項３】
扉の閉鎖状態での最上部を含む上面部を、前下がりの傾斜面としたことを特徴とする請求項１記載の食器洗浄機。
【請求項４】
本体の上面から扉の閉鎖状態での最上部を含む上面部にかけて、前下がりの傾斜面を形成したことを特徴とする請求項１記載の食器洗浄機。
【発明の詳細な説明】
【技術分野】
【０００１】
本発明は扉を改良した食器洗浄機に関する。
【背景技術】
【０００２】
従来より、食器洗浄機においては、本体に、内部で食器を洗浄する洗浄室が具えられ、その洗浄室に対して食器を出し入れするための開口部が前面側に設けられている。更に、本体には、扉が上記開口部を開閉するように設けられており、そして、その扉の閉鎖状態での最上部が開放状態では最前部となるものが供されている。
【０００３】
図８はそのものを示しており、本体１の前面部に扉２が設けられている。この扉２は、詳細には、下扉３と上扉４とに分けて設けられており、開放時に、下扉３が下部の支軸５を中心に前下方へ回動され、上扉４がリンク６ａを主体とする連動機構６により本体１から離間されて下扉３の上に重ね置かれるようになっている。かくして、扉２は、閉鎖状態での最上部である上扉４の先端部４ａが、開放状態では最前部となるようになっている。
又、このものの場合、上扉４の先端部４ａは、扉２の閉鎖状態で、本体１の最上部１ａと同一高さ位置に位置している。
【特許文献１】特開２００２−１０９６１号公報
【発明の開示】
【発明が解決しようとする課題】
【０００４】
食器洗浄機においては、近年、設置に必要なスペースを小さく済ませ得ることが重要課題となっている。しかして、その設置に必要なスペースの小ささは、食器洗浄機の扉を閉鎖した状態だけでなく、開放した状態でも要求されることであり、それでなければ、扉を開けて食器の出し入れを行うということが容易にできない。
これに対して、上記従来のものは、その要求を充分に満たし得るものではなかった。
【０００５】
本発明は上述の事情に鑑みてなされたものであり、従ってその目的は、扉を開放した状態でも、設置に必要なスペースをより小さく済ませることのできる食器洗浄機を提供するにある。
【課題を解決するための手段】
【０００６】
上記目的を達成するために、本発明の食器洗浄機においては、内部で食器を洗浄する洗浄室を有すると共に、その洗浄室に対して食器を出し入れするための開口部を前面側に有する本体と、この本体に前記開口部を開閉するように設けられ、その閉鎖状態での最上部が開放状態では最前部となる扉とを具備し、その扉の前記閉鎖状態での最上部が、前記本体の最上部より低く位置するようにしたことを特徴とする。
【発明の効果】
【０００７】
上記手段によれば、扉の閉鎖状態での最上部が本体の最上部より低く位置するようにした分、扉の開放状態での、本体の背部から扉の最前部までの寸法を小さく済ませることができるものであり、かくして、扉を開放した状態でも、食器洗浄機の設置に必要なスペースをより小さく済ませることができる。
【発明を実施するための最良の形態】
【０００８】
以下、本発明の第１実施例（第１の実施形態）につき、図１ないし図４を参照して説明する。
まず、図３には、本体１１と、これの前面側に設けた扉１２を示している。このうち、扉１２は、下扉１３及び上扉１４から成っている。
【０００９】
一方、本体１１は、外箱１５を外殻とし、これの内部に図１及び図２に示す内箱１６を配設して、該内箱１６の内部を洗浄室１７としている。この洗浄室１７は、前面側、この場合、前面部から上面の前部にかけた部分が開口部１８で示すように側面形でほゞＬ字状に開口しており、洗浄室１７内には、その開口部１８から下食器かご１９と上食器かご２０とを引出し可能に収納している。これらの食器かご１９，２０は、食器２１を収納配列するものであり、従って、開口部１８は、それら食器かご１９，２０の出し入れと共に食器２１の出し入れに供するようになっている。
【００１０】
このほか、洗浄室１７内には、図示しない噴水体やヒータ等を配設し、洗浄室１７外（本体１１内）に同じく図示しない給水弁や水位検知装置、洗浄ポンプ、排水ポンプ、及び送風機等を配設して、これらの洗浄手段及び乾燥手段により、上記両食器かご１９，２０に収納配置した食器２１の洗浄及び乾燥を行うようになっている。
【００１１】
なお、図３に示すように、扉１２には、上述の洗浄及び乾燥の運転について必要な操作をするための操作パネル２２を、下扉１３の前面部のほゞ中央に設けている。又、扉１２の後述するロック解除操作をするための操作部材である押釦２３を、上扉１４の前面部の下側に設けており、もっぱら乾燥時の排気をする排気口２４を、同上扉１４の前面部の上記押釦２３より上方の部分に設けている。そして、扉１２の開閉操作をするための取手２５を、同上扉１４の前面部の更に上記排気口２４より上方の部分に設けている。
【００１２】
そして、図１（イ）に示すように、下扉１３は、下端部の左右両側を、支軸２６によって本体１１に上下回動可能に取付け支持している。又、上扉１４には、左右の両側面部の外側に、ガイド部としての溝２７を形成している。この溝２７は、詳細には、上扉１４の左右両側面部の前側を上部から下部へ直線状に延び、そして、下部においては前側から後側へ斜状に延びる形態に形成しており、この関係上、上扉１４の左右両側面部の下部は、下扉１３よりも本体１１側に突出する突出部２８となっている。
【００１３】
これに対して、下扉１３には、左右両側壁の上部の外側に耳のような張出部２９を係合部材として形成し、上扉１４を挟むようにしている。又、この張出部２９の後部内側には、係合部として突起３０を図４に示すように形成しており、この突起３０を、上述の溝２７に嵌入させて係合させ、溝２７がこの突起３０を沿わせて移動するスライド構造にて、下扉１３に上扉１４をスライド可能に結合している。
【００１４】
なお、この場合、張出部２９は下扉１３と一体であるが、別体としてねじ等により取付けるようにしても良い。又、上扉１４の左右両側外面と下扉１３の左右両側外面とはほゞ面一で、それらより張出部２９のみが外側に突出している。更に、この場合の上扉１４の内面部には、左右の両端部３１ａが上扉１４より露出して上扉１４の左右両側外面を構成するかごガイド３１を設けており、従って、上述の溝２７は、詳細には、このかごガイド３１の露出した両端部３１ａからその内側にかけて形成している。しかして、かごガイド３１は、左右の両側部に前後に延びる突条３１ｂを有している。又、下食器かご１９には、円筒状の例えばプラスチックから成るすべり部材３２を装着しており、これをかごガイド３１が下食器かご１９の引出し時に案内するようにしている。
【００１５】
更に、図１（イ）に示すように、下扉１３の下部の後側には、連結部３３を形成しており、この連結部３３に連結部材３４の一端部を連結ピン３５によって上下回動可能に連結している。一方、上扉１４の下部の後側には、連結部材３６を突設しており、この連結部材３６の先端部の内側に設けた突起３７（図では下記連結ピン３９と重なっている）を係合部として、本体１１の内箱１６外面に形成した「く」字形のガイド部である溝３８に係合させ、ひいては本体１１に連結している。又、連結部材３６の先端部には、前記連結部材３４の他端部を連結ピン３９によって上下回動可能に連結している。なお、連結部材３６は上扉１４と固定のものであるが、上扉１４と一体又は別体のいずれであっても良い。
【００１６】
加えて、本体１１と前記連結部材３４の先端部との間には、引張コイルスプリング４０を張架しており、これは上記連結部材３４，３６から成る連動機構４１に下扉１３と上扉１４とを閉鎖させる方向のモーメントを付与するもので、扉閉鎖付勢手段であり、それよりも、上扉１４と下扉１３の自重による開放方向のモーメントが勝るようにしている。
又、本体１１には、前部の中間部に前方に開放する凹部４２を形成しており、この凹部４２に前記上扉１４の突出部２８が嵌入するようにしている。従って、凹部４２は上扉１４の一部が嵌入する嵌入部である。
【００１７】
そのほか、上扉１４の上端部の左右両側には、ラッチ４３を設けており、このラッチ４３は本体１１が有した係止部４４に係合するもので、その係合を前記押釦２３が押圧操作されることで解除するようにしている。又、係止部４４後方の内箱１６側面部には、レバー４５を支軸４６によって枢支し、更にその後方にスイッチ４７を配設していて、係止部４４に係合するラッチ４３により、レバー４５が前側の一端部を押し下げられて、下側の他端部によりスイッチ４７を操作し、それによって、食器洗浄機の運転が実行できるようにしている。従って、それらレバー４５、スイッチ４７は、上扉１４の開閉、ひいては扉１２の開閉に応動するドアスイッチとして機能し、更には扉開閉検知手段として機能するようになっている。
【００１８】
そして、扉１２は、本体１１の前記開口部１８の形態に合わせて、本体１１の前面部から上面の前部にかけて回り込む形状としており、従って、上部（上扉１４の上部）にその回り込んだ屈曲部４８を有している。
又、その扉１２の閉鎖状態での最上部１２ａの高さＨ１２は、本体１１の最上部１１ａまでの高さＨ１１より寸法Ｌ１だけ低く定めており、従って、その分、扉１２の閉鎖状態での最上部１２ａが本体１１の最上部１１ａより低く位置するようにしている。
【００１９】
更に、上記寸法Ｌ１の分、本体１１の上面には傾斜面４９を形成しており、この傾斜面４９は、扉１２の閉鎖状態での最上部１２ａに向かって前下がりとなったものである。なお、この傾斜面４９は、この場合、平直面状であるが、本体１１の他の上面となだらかに連なる曲面状となったものであっても良い。
加えて、扉１２の閉鎖状態での最上部１２ａを含む上面部も、前下がりの傾斜面５０としており、従って、この場合、上記本体１１の上面から扉１２の閉鎖状態での最上部１２ａを含む上面部にかけて、前下がりに連なる傾斜面４９，５０を形成している。
【００２０】
このほか、図２（ロ）には、洗浄室１７内における下食器かごガイド５１及び上食器かごガイド５２を示している。
又、扉１２の下扉１３と上扉１４との間、並びに本体１１の前記開口部１８の全周縁には、それぞれパッキンを設けており（いずれも図示せず）、そのうちの前者は扉１２の閉鎖時に下扉１３と上扉１４とで挟圧し、後者は同じく扉１２の閉鎖時に扉１２と本体１１とで挟圧して、その各間の密封をするようにしている。
【００２１】
さて、上記構成のものの場合、扉１２（下扉１３及び上扉１４）が図１（イ）に示す閉鎖状態にあるとして、この状態から、使用者が押釦２３を押圧操作すると、ラッチ４３が本体１１の係止部４４との係合を解除されると共に、ラッチ４３によるレバー４５の前側の一端部の押し下げが解除されて、該レバー４５の下側の他端部によるスイッチ４７の操作が解除されるので、食器洗浄機の運転が実行できない状態となる。
【００２２】
又、それと同時に、本体１１の開口部１８の全周縁に設けたパッキンの反発力と、上扉１４及び下扉１３の自重による開放方向のモーメントとにより、図１（ロ）に示すように、上扉１４が、溝２７を下扉１３の張出部２９が有した突起３０に沿わせて下方へ移動させることにより、下扉１３に対して下方へスライドし、それと共に、下扉１３が支軸２６を中心に前下方へ回動し、最終的に、図１（ハ）に示すように、上扉１４及び下扉１３がともに水平状態となって内面部を上に向け、下扉１３の上に上扉１４が重なって開口部１８を開放した状態となる。
【００２３】
又、この間、連動機構４１においては、連結部材３６が先端部の突起３７を本体１１の溝３８に沿わせて移動させ、それにより、上扉１４が後方に引かれるから、上扉１４を下扉１３の動作に連動させる。
なお、図２（イ）には、開放した上扉１４の上に引出した下食器かご１９を表しており、図２（ロ）には、同じく引出した上食器かご２０を表している。又、それらの図２（イ）、（ロ）及び図１（ハ）に示すように、扉を開放した状態では、上扉１４が下扉１３より前方に突出する（寸法Ｌ２）寸法関係としており、すなわち、扉１２の閉鎖状態での最上部１２ａが開放状態では最前部となるようになっている。
【００２４】
そして、上述のように開放した扉１２を閉鎖させるには、取手２５に手を懸けて上扉１４を引き上げる。すると、上述とは逆に、下扉１３が支軸２６を中心に後上方へ回動し、それに伴い、上扉１４が溝２７を下扉１３の張出部２９が有した突起３０に沿わせて上方へ移動させることにより、下扉１３に対して上方へスライドし、最終的に、図１（イ）に示したように、上扉１４及び下扉１３がともに垂直状態となって内面部を後に向け、下扉１３の上に上扉１４が重なって開口部１８を閉鎖した状態となる。又、このときに、下扉１３と上扉１４は、表面が面一となる。
【００２５】
更に、この間も、連動機構４１は、図１（ハ）から（ロ）、（イ）に示すように（開放時とは逆に）変化して、下扉１３の動作に上扉１４を連動させる。更に、ラッチ４３が係止部４４に係合し、扉１２を閉鎖状態にロックすると共に、レバー４５がラッチ４３により前側の一端部を押し下げられて、下側の他端部によりスイッチ４７を操作し、食器洗浄機の運転が実行できるようになる。
【００２６】
このように本構成のものでは、閉鎖状態での最上部１２ａが開放状態では最前部となる扉１２を具備し、その扉１２の閉鎖状態での最上部１２ａが、本体１１の最上部１１ａより低く位置するようにしている。それにより、図１（ハ）に示すように、扉１２の開放状態での、本体１１から前方への突出寸法Ｌ３を小さくすることができるもので、ひいては、本体１１の背部から扉１２の最前部までの寸法Ｌ４を小さく済ませることができるものであり、かくして、扉１２を開放した状態でも、食器洗浄機の設置に必要なスペースをより小さく済ませることができる。
【００２７】
又、本構成のものの場合、本体１１の上面に、扉１２の閉鎖状態での最上部１２ａに向かって前下がりとなる傾斜面４９を形成しており、これによって、扉１２の閉鎖状態での最上部１２ａが本体１１より段差をもって低く見えることがなくなり、見栄えを良くできるので、商品性を良好に確保することができる。又、この場合、傾斜面４９には、何かの物品を置いても不安定であり、よって、そこには何かの物品を置くことが避けられるので、扉１２を開放したときに、その置いた物品が落下するというようなこともなくすことができる。
【００２８】
更に、本構成のものの場合、扉１２の閉鎖状態での最上部１２ａを含む上面部を前下がりの傾斜面５０としており、これによっても、見栄えを良くできるので、商品性を良好に確保することができるし、傾斜面５０には、やはり、何かの物品を置いても不安定で、そこには何かの物品を置くことが避けられるので、扉１２を開放したときに、その置いた物品が落下するというようなことをなくすことができる。
【００２９】
加えて、本構成のものの場合、本体１１の上面から扉１２の閉鎖状態での最上部１２ａを含む上面部にかけて前下がりに連なる上述の傾斜面４９，５０を形成しており、これによって、見栄えを一層良くできるので、商品性を更に良好に確保することができるし、傾斜面４９，５０には、やはり、何かの物品を置いても不安定で、そこには何かの物品を置くことが避けられるので、扉１２を開放したときに、その置いた物品が落下するというようなことをなくすことができる。
【００３０】
以上に対して、図５ないし図７は本発明の第２ないし第４実施例（第２ないし第４の実施形態）を示すもので、第１実施例と同一の部分には同一の符号を付して説明を省略し、異なる部分についてのみ述べる。
【００３１】
［第２実施例］
図５に示す第２実施例においては、上扉１４には２条の溝６１，６２をガイド部として形成している。又、下扉１３の張出部２９には、２つの突起６３，６４を係合部として形成し、それを上記２条の溝６１，６２に係合させて、溝６１，６２が突起６３，６４をそれぞれ沿わせて移動するスライド構造にて、下扉１３に上扉１４をスライド可能に結合している。
【００３２】
又、下扉１３の下端部の左右両側を支持した支軸２６の部分には、伝動部材としてのギヤ６５を、支軸２６と同軸にて下扉１３の回動と共に回転するように設け、このギヤ６５と噛合するギヤ６６を、本体１１に支軸６７によって支持したレバー６８のその支軸６７の部分に、支軸６７と同軸にてレバー６８の回動と共に回転するように設けている。
そして、レバー６８の先端部と、上扉１４の前記溝６１，６２の斜状部分が位置した突出部６９の後下端部から下方へ延設した連結部７０の先端部とを、連結部材７１にてそれぞれ連結ピン７２，７３により上下回動可能に連結している。
【００３３】
更に、本体１１と連結部材７１の中間部との間には、引張コイルスプリング７４を張架しており、これは第１実施例の引張コイルスプリング４０と同様に、上述のギヤ６５，１２６、レバー６８、連結部材７１から成る連動機構７５に下扉１３と上扉１４とを閉鎖させる方向のモーメントを付与するもので、扉閉鎖付勢手段であり、それよりも、下扉１３と上扉１４の自重による開放方向のモーメントが勝るようにしている。
このほか、本体１１には、レバー６８の後方への回動を一定に規制するストッパ７６を設けている。更に、本体１１には、上扉１４の前記突出部２８が嵌入する凹部７７を形成している。
【００３４】
以上の構成にて、扉１２（下扉１３及び上扉１４）が図５（イ）に示す閉鎖状態にあるときから、使用者が押釦２３を押圧操作すると、前述のごとく、ラッチ４３が本体１１の係止部４４との係合を解除されると共に、ラッチ４３によるレバー４５を介してのスイッチ４７の操作が解除されるので、食器洗浄機の運転が実行できない状態となる。
【００３５】
又、それと同時に、本体１１の開口部１８の全周縁に設けたパッキンの反発力と、上扉１４及び下扉１３の自重による開放方向のモーメントとにより、図５（ロ）に示すように、上扉１４が、溝６１，６２を下扉１３の張出部２９が有した突起６３，６４に沿わせて下方へ移動させる。
【００３６】
併せて、下扉１３が支軸２６を中心に前下方へ回動し、ギヤ６５が反時計回りに回転するから、それと噛合したギヤ６６が時計回りに回転し、レバー６８を同方向に回動させる。これにより、連結部材７１を介して上扉１４が連結部７０を下方に引かれ、前記溝６１，６２を下扉１３の張出部２９が有した突起６３，６４に沿わせて下方へ移動させる。
従って、それらにより、上扉１４が下扉１３に対して下方へスライドし、最終的に、図５（ハ）に示すように、上扉１４及び下扉１３がともに水平状態となって内面部を上に向け、下扉１３の上に上扉１４が重なって開口部１８を開放した状態となる。
【００３７】
そして、上述のように開放した扉１２を閉鎖させるには、取手２５に手を懸けて上扉１４を引き上げる。すると、上述とは逆に、下扉１３が支軸２６を中心に後上方へ回動し、ギヤ６５が時計回りに回転するから、ギヤ６６は反時計回りに回転し、レバー６８を同方向に回動させる。
【００３８】
これにより、連結部材７１を介して上扉１４が連結部７０を前方にそして上方に押し出され、溝６１，６２を張出部２９の突起６３，６４に沿わせて前方へそして上方へ移動させることにより、上扉１４が下扉１３に対して前方へそして上方へスライドし、最終的に、図５（イ）に示したように、上扉１４及び下扉１３が共に垂直状態となって内面部を後方に向け、下扉１３の上に上扉１４が重なって開口部１８を閉鎖した状態となる。
又、このときに、下扉１３と上扉１４は、表面が面一となる。更に、ラッチ４３が係止部４４に係合し、扉１２を閉鎖状態にロックすると共に、レバー４５を介してスイッチ４７を操作し、食器洗浄機の運転が実行できるようになる。
【００３９】
このように本第２実施例においては、扉１２が開放するときに、下扉１３の回動方向とは反対の方向に回動するレバー６８を有し、このレバー６８と上扉１４とを連結部材７１で連結することにより、上扉１４が下扉１３の回動に連動してスライドするようにしている。これにより、下扉１３に対する上扉１４のスライドを、簡単な構成で、より確実に達成できる。
その他の点は、第１実施例と同様であり、従って、第１実施例と同様の作用効果を奏する。
【００４０】
［第３実施例］
図６に示す第３実施例においては、洗浄室１７の開口部８１を、洗浄室１７の前面側、この場合も、前面部から上面の前部にかけて側面形で特に上部が斜状となるように形成しており、この関係で、扉８２も、上扉８３に、上端部の厚さＴ１が下端部の厚さＴ２より大きい（屈曲部４８を有しない）ものを使用している。
又、扉８２の下部が、下扉１３であることには変わりがなく、そのほか、この下扉１３に形成した張出部２９、並びにこの張出部２９に形成した突起３０と、上扉８３に形成した溝２７等も、第１実施例同様である。
【００４１】
そして、下扉１３の下部から後方に延設した連結部８４の先端部と本体１１との間に引張コイルスプリング８５を張架している。又、それより上方において、本体１１には、連結部材８６を支軸８７によって上下回動可能に支持し、この連結部材８６の先端部に、上扉８３の突出部２８から延設した連結部８８を連結ピン８９によって上下回動可能に連結している。そして、本体１１と連結部材８６の中間部との間には、引張コイルスプリング９０を張架している。
【００４２】
このうち、引張コイルスプリング９０は、上扉８３に閉鎖力を付与する扉閉鎖付勢手段であり、引張コイルスプリング８５は、下扉１３に閉鎖状態で開放力を付与し、開放状態で閉鎖力を付与する扉開閉付勢手段であって、図１１の（イ）に示す扉１２の閉鎖状態では、引張コイルスプリング８５により付勢された下扉１３の開放方向のモーメントと、上扉８３の自重による開放方向のモーメントとの合成モーメントが、引張コイルスプリング９０により付勢された上扉８３の閉鎖方向のモーメントより勝るようにしている。
【００４３】
以上の構成にて、扉１２（下扉１３及び上扉８３）が図６（イ）に示す閉鎖状態にあるときから、使用者が押釦２３を押圧操作すれば、本体１１の開口部８１の全周縁に設けたパッキンの反発力と、引張コイルスプリング８５により付勢された下扉１３の開放方向のモーメント、並びに上扉８３の自重による開放方向のモーメントとの合成モーメントにより、図６（ロ）に示すように、上扉８３が、溝２７を下扉１３の張出部２９が有した突起３０に沿わせて下方へ移動させることにより、下扉１３に対して下方へスライドし、それと共に、下扉１３が支軸２６を中心に前下方へ回動し、最終的に、図６（ハ）に示すように、上扉８３及び下扉１３がともに水平状態となって内面部を上に向け、下扉１３の上に上扉８３が重なって開口部８１を開放した状態となる。
【００４４】
そして、開放した扉１２を閉鎖させるには、取手２５に手を懸けて上扉８３を引き上げる。すると、上述とは逆に、下扉１３が支軸２６を中心に後上方へ回動し、それに伴い、上扉８３が溝２７を下扉１３の張出部２９が有した突起３０に沿わせて上方へ移動させることにより、下扉１３に対して上方へスライドし、最終的に、図１１（イ）に示したように、上扉８３及び下扉１３がともに垂直状態となって内面部を後に向け、下扉１３の上に上扉８３が重なって開口部８１を閉鎖した状態となる。又、このときに、下扉１３と上扉８３は、表面が面一となる。
しかして、この場合も、その他の点は、第１実施例と同様であり、従って、第１実施例と同様の作用効果を奏する。
【００４５】
［第４実施例］
図７に示す第４実施例においては、扉１２の下扉１３とこれの支持並びに付勢構造が第３実施例と同様で、上扉１４を、その下部から延設した連結部１０１の中間部にて、支軸１０２により本体１１に上下回動可能に支持している。又、その連結部１０１の上扉１４側とは反対側の端部に、連結部材１０３の一端部を連結ピン１０４によって上下回動可能に連結し、連結部材１０３の他端部を上記下扉１３の連結部８４の中間部に連結ピン１０５によって上下回動可能に連結している。
【００４６】
以上の構成にて、扉１２（下扉１３及び上扉８３）が図７（イ）に示す閉鎖状態にあるときから、使用者が押釦２３を押圧操作すれば、ラッチ４３が本体１１の係止部４４との係合を解除されると同時に、本体１１の開口部１８の全周縁に設けたパッキンの反発力と、上扉１４の自重による開放方向のモーメントにより、図７（ロ）に示すように、上扉１４が支軸１０２を中心に前下方へ回動する。
【００４７】
又、それに伴い、連結部１０１により連結部材１０３が引き上げられ、更に、その連結部材１０３により下扉１３の連結部８４が引き上げられることにより、下扉１３が支軸２６を中心に同じく前下方へ回動し、最終的に、図７（ハ）に示すように、上扉１４及び下扉１３がともに水平状態となって内面部を上に向け、下扉１３の上に上扉１４が重なって開口部１８を開放した状態となる。
【００４８】
そして、開放した扉１２を閉鎖させるには、取手２５に手を懸けて上扉１４を引き上げる。すると、上述とは逆に、上扉１４が支軸１０２を中心に後上方へ回動し、それに伴い、連結部１０１により連結部材１０３が押し下げられ、更に、その連結部材１０３により下扉１３の連結部８４が押し下げられることにより、下扉１３が支軸２６を中心に同じく後上方へ回動し、最終的に、最終的に、図７（イ）に示したように、上扉１４及び下扉１３がともにほゞ垂直状態となって内面部を後に向け、下扉１３の上に上扉８３が重なって開口部１８を閉鎖した状態となる。又、このときに、下扉１３と上扉１４は、表面が面一となる。
しかして、この場合も、その他の点は、第１実施例と同様であり、従って、第１実施例と同様の作用効果を奏する。
【００４９】
なお、扉１２は下扉１３及び上扉１４，８３の二枚扉から成るものに限られず、一枚扉であっても良い。従って、扉１２の支持構造も前述のようには限られず、例えば一枚扉であれば、下端部が支軸２６によって支持されるだけの構造であっても良い。
そのほか、本発明は上記し且つ図面に示した実施例にのみ限定されるものではなく、要旨を逸脱しない範囲内で適宜変更して実施し得る。
【図面の簡単な説明】
【００５０】
【図１】本発明の第１実施例を示す破断側面図で、（イ）が扉閉鎖状態、（ロ）が扉開放途中（閉鎖途中）状態、（ハ）が扉開放状態をそれぞれ示す図
【図２】破断側面図で、（イ）が下食器かご引出し状態、（ロ）が上食器かご引出し状態をそれぞれ示す図
【図３】全体の外観斜視図
【図４】図２（イ）のＡ−Ａ線に沿う部分断面図
【図５】本発明の第２実施例を示す図１相当図
【図６】本発明の第３実施例を示す図１相当図
【図７】本発明の第４実施例を示す図１相当図
【図８】従来例を示す図１（ハ）相当図
【符号の説明】
【００５１】
図面中、１１は本体、１１ａは本体の最上部、１２は扉、１２ａは扉の最上部、１７は洗浄室、１８は開口部、２１は食器、４９は扉の傾斜面、５０は本体の傾斜面、８１は開口部、８２は扉を示す。
【図１】
2006167271.tif 000003
【図２】
2006167271.tif 000004
【図３】
2006167271.tif 000005
【図４】
2006167271.tif 000006
【図５】
2006167271.tif 000007
【図６】
2006167271.tif 000008
【図７】
2006167271.tif 000009
【図８】
2006167271.tif 000010